(57)【特許請求の範囲】
【請求項１】
空調された気流を吹き出すための吹出口と、
前記吹出口の前方に配置され且つ水平又は斜め上方に延びる第１面と、前記第１面の上方に配置され且つ後方へ行くほど上方になるように形成された面を有する第２面とを有するパネルとを備え、
前記パネルは、前記第１面と前記第２面とを繋ぐ接続部を備え、
前記接続部が面であり、
前記第１面及び前記第２面には、つや消し加工が施されていると共に、
前記接続部には、つや消し加工が施されてないことを特徴とする室内機。
【請求項２】
前記つや消し加工は、シボ加工であることを特徴とする請求項１に記載の室内機。
【発明の詳細な説明】
【技術分野】
【０００１】
本発明は空調された気流を吹き出すための吹出口を備えた室内機に関するものである。
【背景技術】
【０００２】
吸込口から吸い込んだ空気を空気調和して吹出口から吹き出す室内機であって、吹出口から吹き出される空気の上側を覆い、且つ、前方に行くほど上方になるように形成された案内面と、案内面の前端から後方に延びる面とを有する室内機が知られている（例えば、特許文献１参照）。かかる室内機では、室内機のパネルが案内面（コアンダ面）を有し、吹出口から吹き出された空気がコアンダ効果により案内面に沿って上方に向かう。
【先行技術文献】
【特許文献】
【０００３】
【特許文献１】特開２００３−２３２５５９号公報
【発明の概要】
【発明が解決しようとする課題】
【０００４】
上述のような室内機において、コアンダ面は床面に向く面となり、家財や人が映り込むことがある。また、パネルにおけるコアンダ面の上方には天井を向く面が形成され、照明が映り込むことがある。このようなパネルへの家財や照明の映り込みにより室内のインテリア性が損なわれる。
【０００５】
そこで、本発明は、上記のような課題を解決するためになされたものであり、パネルへの家財や照明の映り込みにより室内のインテリア性が損なわれるのを防止できる室内機を提供することを目的とする。
【課題を解決するための手段】
【０００６】
第１の発明に係る室内機は、空調された気流を吹き出すための吹出口と、前記吹出口の前方に配置され且つ水平又は斜め上方に延びる第１面と、前記第１面の上方に配置され且つ後方へ行くほど上方になるように形成された面を有する第２面とを有するパネルとを備え、前記パネルは、前記第１面と前記第２面とを繋ぐ接続部を備え、前記接続部が面であり、前記第１面及び前記第２面には、つや消し加工が施されていると共に、前記接続部には、つや消し加工が施されてないことを特徴とする。
【０００７】
この室内機では、第１面につや消し加工を施すことにより、第１面に対する映り込みにより室内のインテリア性が損なわれるのを防止できる。
【０００８】
【０００９】
この室内機では、第２面につや消し加工を施すことにより、第２面に対する映り込みにより室内のインテリア性が損なわれるのを防止できる。
【００１０】
【００１１】
この室内機では、影面の第１面と光面の第２面との境界面の接続部に、つや消し加工が施されてないことにより、陰影を和らげることができる。
【００１２】
第２の発明に係る室内機は、第１の発明のいずれかにおいて、前記つや消し加工は、シボ加工であることを特徴とする。
【００１３】
この室内機では、つや消し加工が簡略化できる。
【発明の効果】
【００１４】
以上の説明に述べたように、本発明によれば、以下の効果が得られる。
第１の発明では、第１面につや消し加工を施すことにより、第１面に対する映り込みにより室内のインテリア性が損なわれるのを防止できる。
【００１５】
第１の発明では、第２面につや消し加工を施すことにより、第２面に対する映り込みにより室内のインテリア性が損なわれるのを防止できる。
【００１６】
第１の発明では、影面の第１面と光面の第２面との境界面の接続部に、つや消し加工が施されてないことにより、陰影を和らげることができる。
【００１７】
第２の発明では、つや消し加工が簡略化できる。
【図面の簡単な説明】
【００１８】
【図１】本発明の実施形態にかかる室内機の斜視図であり、（ａ）は斜め上方から見た図、（ｂ）は斜め下方から見た図である。
【図２】図１の室内機の横断面図である。
【図３】本発明の実施形態にかかる室内機の前面パネルの斜視図であり、（ａ）は斜め上方から見た図、（ｂ）は斜め下方から見た図である。
【発明を実施するための形態】
【００１９】
以下に、本発明の実施形態について、図１〜図３を参照しつつ説明する。
【００２０】
図１（ａ）、（ｂ）に示すように、本実施形態の室内機１は、全体として一方向に細長い形状を有しており、その長手方向が水平となるように室内の壁面に据え付けられるものである。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、室内機１の長手方向を単に「長手方向」と称する。
【００２１】
図２に示すように、室内機１は、ケーシング２、熱交換器３、室内ファン４、フィルタ５、及び２枚の水平羽根６ａ、６ｂを主に備えている。
【００２２】
ケーシング２は、略直方体のグリル２１と、グリル２１の前面を覆う前面パネル２２とを有する。ケーシング２の上面には、吸込口２１ａが形成されている。図１（ａ）に示すように、吸込口２１ａはグリル２１と前面パネル２２とに渡って形成されている。グリル２１の下面には吹出口２１ｂが形成されている。図１（ｂ）に示すように、吹出口２１ｂは、長手方向に長い矩形状の開口である。
【００２３】
熱交換器３、室内ファン４、及びフィルタ５は、グリル２１の内部に配置されている。室内ファン４は、長手方向に沿って延びており、吸込口２１ａを介してケーシング２内に空気を吸い込み、吹出口２１ｂからケーシング２内の空気が吹き出されるように構成されている。熱交換器３は、側面視において両端が下方に向かって屈曲した逆Ｖ字状に形成され、室内ファン４の上方と前方とを取り囲むように配置されている。熱交換器３では、通過する空気との間で熱交換が行われる。また、熱交換器３の上方及び前方にはフィルタ５が配置されている。フィルタ５は、熱交換器３に向かって流入してくる空気に含まれる塵埃を除去する。
【００２４】
２枚の水平羽根６ａ、６ｂは、吹出口２１ｂに配置されている。水平羽根６ａ、６ｂは、吹出口２１ｂから吹き出される空気流の上下方向の風向きを変更すると共に、吹出口２１ｂの開閉を行うために設けられている。水平羽根６ａ、６ｂは、それぞれ長手方向に長い矩形状の板部材である。水平羽根６ａは吹出口２１ｂ内の前側部分に配置され、水平羽根６ｂは吹出口２１ｂ内の後側部分に配置されている。
【００２５】
前面パネル２２は、上述のようにグリル２１の前面を覆うものであり、その上端部が吸込口２１ａの一部を構成しており、下端部が吹出口２１ｂの前端近傍に位置している。前面パネル２２は、前方を向く面であり、吸込口２１ａの前端近傍から前面パネル２２の下端部近傍まで下方に延びる正面２２ａを有している。前面パネル２２の下端部には、吹出口２１ｂの前方に配置されており、斜め上方に延びる第１面２３と、第１面２３の上方に配置されており、後方に行くほど上方になるように形成される第２面２４と、第１面２３と第２面２４とを繋ぐ平面状の接続部２５とが設けられている。第１面２３及び第２面２４は、下に凸の湾曲面である。
【００２６】
図２において矢印で示すように、吹出口２１ｂから吹き出された吹出気流は第１面２３に沿って流れ、第１面２３の前端部において第１面２３から剥離する。すなわち、第１面２３の前端部は吹出口２１ｂからの吹出気流が前面パネル２２から剥離する剥離部２３ａとして機能する。また、前面パネル２２の正面２２ａ及び第２面２４に沿って下方に流れる室内空気は、第２面２４の下端部において第２面２４から剥離する。すなわち、第２面２４の下端部は室内空気が前面パネル２２から剥離する剥離部２４ａとして機能する。そして、接続部２５は、吹出気流の剥離部２３ａと室内空気の剥離部２４ａとを繋いでいる。
【００２７】
剥離部２３ａにおいて前面パネル２２から剥離した吹出気流と、剥離部２４ａにおいて前面パネル２２から剥離した室内空気とは、前面パネル２２の前方の前面パネルから離れた位置で混ざり合う。接続部２５は、図２において破線で示す第１面２３の延長面と第２平面２４の延長面との内側に配置されている。
【００２８】
室内機１では、図３に示すように、前面パネル２２の第１面２３と第２面２４には、シボ加工が施され、接続部２５と上面部２６と側面部２７には、シボ加工が施されてない。第１面２３と第２面２４に、シボ加工を施すことにより、第１面２３と第２平面２４に対する映り込みにより室内のインテリア性が損なわれるのを防止できる。接続部２５に、シボ加工が施されてないことにより、影面の第１面２３と光面の第２面２４との境界面の陰影を和らげることができる。上面部２６に、シボ加工が施されてないことにより、ほこりが溜まりやすい上面の拭き掃除が容易である。側面部２７に、シボ加工が施されてないことにより、前面パネル２２の成形効率を上げることができる。
【００２９】
次に、室内機１の動作について説明する。
室内ファン４を駆動することにより、吸込口２１ａからケーシング２内に空気が吸い込まれる。ケーシング２内に吸い込まれた空気は、フィルタ５で塵埃の除去が行われた後、熱交換器３を通過して熱交換される。そして、室内ファン４を通過した後、水平羽根６ａ、６ｂに沿って流れて、空調された気流が吹出口２１ｂから吹き出される。吹出口２１ｂから吹き出された吹出気流は、コアンダ効果により斜め上方に延びる第１面２３に沿って流れた後、第１面２３の端部の剥離部２３ａで第１面２３（前面パネル２２）から剥離する。前面パネル２２から剥離した吹出気流は、剥離部２４ａにおいて第２面２４（前面パネル２２）から剥離した室内空気と前面パネル２２から離隔した位置で混ざり合った後、天井方向に向かう。
【００３０】
以上のように、本実施形態の室内機１では、第１面２３にシボ加工を施すことにより、第１面２３に対する映り込みにより室内のインテリア性が損なわれるのを防止できる。
【００３１】
また、本実施形態の室内機１では、第２面２４にシボ加工を施すことにより、第２面２４に対する映り込みにより室内のインテリア性が損なわれるのを防止できる。
【００３２】
また、本実施形態の室内機１では、影面の第１面２３と光面の第２面２４との境界面の接続部２４に、シボ加工が施されてないことにより、陰影を和らげることができる。
【００３３】
また、本実施形態の室内機１では、つや消し加工としてシボ加工が施されることから、つや消し加工が簡略化できる。
【００３４】
また、本実施形態の室内機１では、前面パネル２２が、吹出口２１ｂから吹き出された吹出気流を第１面２３から剥離する剥離部２３ａと、第２面２４に沿って流れる室内空気を第２面２４から剥離する剥離部２４ａと、剥離部２３ａと剥離部２４ａとを繋ぐ接続部２５とが設けられていることから、吹出気流と室内空気とは、第１面２３及び第２面２４からそれぞれ剥離した後に混ざり合う。よって、冷房運転時に吹出口２１ｂから吹き出される冷気と室内空気の暖気とが混ざり合うことで、室内機１の構造物に結露が発生するのを抑制できる。
【００３５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００３６】
例えば、上述の実施形態では、前面パネル２２の第１面２３と第２面２４に、シボ加工が施され、接続部２５と上面部２６と側面部２７に、シボ加工が施されてない場合を説明したが、第１面２３と第２面２４の少なくとも一方に、シボ加工が施される場合に本発明の効果が得られる。また、第１面２３と第２面２４の少なくとも一方に、シボ加工が施されると共に、接続部２５と上面部２６と側面部２７の少なくとも１つに、シボ加工が施されてよい。本発明において、つや消し加工は、シボ加工に限られず、その他のつや消し加工であってよい。
【産業上の利用可能性】
【００３７】
本発明を利用すれば、パネルに対する映り込みにより室内のインテリア性が損なわれるのを防止できる。
【符号の説明】
【００３８】
１  室内機
２１ｂ  吹出口
２３  第１面
２３ａ  第１剥離部
２４  第２面
２４ａ  第２剥離部
２５  接続部
【図１】
0006418122.tif 000002
【図２】
0006418122.tif 000003
【図３】
0006418122.tif 000004